(57)【特許請求の範囲】
【請求項１】
側面にエプロンが取り付けられる浴槽の、洗い場に面する縁部側に、この浴槽に対する入浴補助用の指掛け部を形成する浴槽用指掛け構造であって、
上記洗い場側に突出して、上記浴槽の縁部側方に上記指掛け部を形成する半円柱状のグリップ部と、この浴槽の縁部の下面側及び／又はこの下面に対向する上記エプロンの上端側に固定される支持部とを有する、側面視略Ｌ字状のグリップ手段を備えていることを特徴とする浴槽用指掛け構造。
【請求項２】
前記グリップ手段を、前記グリップ部と前記支持部とが一体的に形成されたグリップ部材により構成していることを特徴とする請求項１記載の浴槽用指掛け構造。
【請求項３】
前記グリップ手段を、側面視略Ｌ字状のブラケットと、このブラケットの立上がり部に固定されるグリップ部材とから構成し、このブラケットの水平部で前記支持部を形成するとともに、上記グリップ部材で前記グリップ部を形成していることを特徴とする請求項１記載の浴槽用指掛け構造。
【請求項４】
前記ブラケットの前記立上がり部の一部又は全部が、前記グリップ部材の内部に差し込まれていることを特徴とする請求項３記載の浴槽用指掛け構造。
【請求項５】
側面にエプロンが取り付けられる浴槽の、洗い場に面する縁部側に、この浴槽に対する入浴補助用の指掛け部を形成する浴槽用指掛け構造であって、
上記エプロンの上端部に上記洗い場側に突出する突状部を形成するとともに、
この突状部を上記浴槽の縁部の洗い場がわ側方に配置して、この突状部で上記指掛け部を形成していることを特徴とする浴槽用指掛け構造。
【請求項６】
側面にエプロンが取り付けられる浴槽の、洗い場に面する縁部側に、この浴槽に対する入浴補助用の指掛け部を形成する浴槽用指掛け構造であって、
前記浴槽の縁部の、少なくとも、下面側から上記洗い場側にかけて、この縁部と一体的に形成される樹脂成形体に、上記指掛け部を形成する半円柱状のグリップ部を形成していることを特徴とする浴槽用指掛け構造。
【発明の詳細な説明】
【０００１】
【発明の属する技術分野】
この発明は、浴槽に対する出入り等の容易化を図るために、浴槽の洗い場に面する縁部側に設けられる浴槽用指掛け構造に関するものである。
【０００２】
【従来の技術】
高齢者や身障者等が浴槽に対して容易に出入り等ができるように、浴槽の洗い場に面する縁部側に、入浴者が手の指を掛けて体を支えることができる指掛構造を備えた浴室も多い。
【０００３】
図２１および図２２は、このような指掛け構造の一例（実開平４ー１９２８４号公報）を示すものである。図２１では、エプロン１００の上部に、ボルト１１０等を介して、グリップ部材１２０を取り付けることにより、このグリップ部材１２０とエプロン１００とで段状の指掛け部Ｄを形成する指掛け構造を示している。この場合、グリップ部材１２０は、エプロン１００側に形成されたＴ状溝１２０ａ内にボルト１１０を嵌め込むことにより、ナット１１１を介して、エプロン１００側に固定される。
【０００４】
図２２では、浴槽本体１０１の洗い場側上部にねじ１１２を用いてブラケット１３０を取り付けた後、このブラケット１３０にグリップ部材１２１を支持させ、つぎに、このグリップ部材１２１を、ねじ１１３を用いて、ブラケット１３０に固定することにより、このグリップ部材１２１とエプロン１００とで指掛け部Ｄを形成する指掛け構造を示している。
【０００５】
また、図２３は、指掛け構造の他の例（実公平７ー１０６３５号公報）を示すものである。この図２３では、浴槽の縁部１０２に、ビス１１４を用いて凹状のレール１３１を取り付けた後、このレール１３１にグリップ部材（軟質カバー）１２２を嵌入して取り付けることにより、このグリップ部材１２２と浴槽の縁部１０２とで指掛け部Ｄを形成する指掛け構造を示している。
【０００６】
【発明が解決しようとする課題】
しかしながら、図２１で示される指掛け構造では、グリップ部材１２０のＴ状溝１２０ａにボルト１１０を嵌め込んだ後、このボルト１１０を倒さないようにしつつ、これをエプロン１００側の孔に通す必要があり、グリップ部材１２０のエプロン１００側への取り付けが容易でなく、指掛け部Ｄの形成が容易でないという問題があった。
【０００７】
また、図２２で示される指掛け構造では、グリップ部材１２１の取り付け（指掛け部Ｄの形成）は比較的容易であるが、このグリップ部材１２１の外面側に、ねじ１１３の頭部やブラケット１３０が露出しているため、段部Ｄに指を掛けた場合、冷たい感じや凹凸感がして、グリップ部材１２１への手の接触感が悪いとともに、ねじ１１３等に生じるサビによって浴室内が汚れてしまうという問題があった。
【０００８】
さらに、図２３で示される指掛け構造では、上述のような問題はないが、レール１３１から軟質カバー１２２が外れ易く、指掛け部Ｄに充分な力を加えられないという問題があった。
【０００９】
この発明は、以上の点に鑑み、指掛け部を容易に形成できるとともに、指掛け部形成用の固定具を浴室内への露出させることがなく、かつ、指掛け部にも充分な力を加えることができる浴槽用指掛け構造を提供することを目的とする。
【００１０】
【課題を解決するための手段】
この発明の請求項１記載の発明は、側面にエプロンが取り付けられる浴槽の、洗い場に面する縁部側に、この浴槽に対する入浴補助用の指掛け部を形成する浴槽用指掛け構造であって、洗い場側に突出して、浴槽の縁部側方に指掛け部を形成する半円柱状のグリップ部と、この浴槽の縁部の下面側及び／又はこの下面に対向するエプロンの上端側に固定される支持部とを有する、側面視略Ｌ字状のグリップ手段を備えていることである。
【００１１】
この発明では、指掛け部を形成するグリップ手段は、支持部が、例えば、グリップ部を浴槽の縁部の洗い場側に密着させた状態で、ねじ等を介して、エプロンの上端側等に固定されるため、このエプロン側にしっかり固定される。この場合、エプロンの上端側は浴室内から見えない浴槽の縁部の下方にあるため、このグリップ手段の固定具（ねじや金具）が浴室内に露出してしまうことはなく、これらに手が触れてしまったり、これらが錆びて浴室内が汚れてしまうことはない。また、この発明では、例えば、エプロン側にグリップ手段を取り付けた後、このエプロンを浴槽の側面に取り付けるだけで指掛け部が形成できるため、この指掛け部の形成も容易である。
【００１２】
この発明の請求項２記載の発明は、請求項１記載の発明の場合において、グリップ手段を、グリップ部と支持部とが一体的に形成されたグリップ部材により構成していることである。
【００１３】
この発明では、グリップ手段がグリップ部材により一体的に形成されるため、グリップ手段の製作の容易化や低コスト化を図ることができる。
【００１４】
この発明の請求項３記載の発明は、請求項１記載の発明の場合において、グリップ手段を、側面視略Ｌ字状のブラケットと、このブラケットの立上がり部に固定されるグリップ部材とから構成し、このブラケットの水平部で支持部を形成するとともに、グリップ部材でグリップ部を形成していることである。
【００１５】
この発明では、グリップ手段がブラケットとグリップ部材とから構成されるので、グリップ手段の支持部の強度を大きくできるとともに、指掛け部に対する手の感触も良好なものにすることができる。この場合、例えばエプロン側に取り付けるブラケットの水平部（支持部）が、浴槽の縁部とエプロン間に配置され、立上がり部が浴槽の縁部とグリップ部材間に配置できるため、このブラケットやねじ等の固定具が浴室内に露出することはない。
【００１６】
この発明の請求項４記載の発明は、請求項３記載の発明の場合において、ブラケットの立上がり部の一部又は全部が、グリップ部材の内部に差し込まれていることである。
【００１７】
この発明では、ブラケットの立上がり部の一部又は全部がグリップ部材の内方に差し込まれているため、グリップ部材と浴槽の縁部間にブラケットが介在しない分、このグリップ部材を浴槽の縁部側に充分に密着できる。この場合、ブラケットをグリップ部材の端部側からその内方に差し込めば、指掛け部に指を掛けても、グリップ部材がブラケットから外れてしまうことはない。
【００１８】
この発明の請求項５記載の発明は、側面にエプロンが取り付けられる浴槽の、洗い場に面する縁部側に、この浴槽に対する入浴補助用の指掛け部を形成する浴槽用指掛け構造であって、エプロンの上端部に洗い場側に突出する突状部を形成するとともに、この突状部を浴槽の縁部の洗い場がわ側方に配置して、この突状部で指掛け部を形成していることである。
【００１９】
この発明では、エプロンの突状部で指掛け部が形成されるため、指掛け部の形成に特別な部材が不要となる。
【００２０】
この発明の請求項６記載の発明は、側面にエプロンが取り付けられる浴槽の、洗い場に面する縁部側に、この浴槽に対する入浴補助用の指掛け部を形成する浴槽用指掛け構造であって、浴槽の縁部の、少なくとも、下面側から洗い場側にかけて、この縁部と一体的に形成される樹脂成形体に、指掛け部を形成する半円柱状のグリップ部を形成していることである。
【００２１】
【発明の実施の形態】
以下、この発明の実施の形態を図面を参照しつつ説明する。
実施形態１．
図１はこの発明の一実施の形態に係る指掛け構造を備えた浴室の外観斜視図、図２はこの指掛け構造を示す浴槽の上部側の断面図である。
【００２２】
図１において、浴室は、組み立て式のユニットバスルームであり、下部側に配置される床パン１０の浴槽設置部１１上に浴槽２０が設置され、この浴槽設置部１１に土手部１３を介して隣接する洗い場部１２上に、洗い場Ａが形成されている。そして、浴槽２０の洗い場Ａがわ側方の床パン１０の土手部１３上方の位置には、エプロン３０が、取付具４０（図２参照）を介して、浴槽２０に着脱容易な状態で取り付けられ、この浴槽２０の側方を覆っている。なお、浴室の正面壁側の壁パネル７０には、カウンター７１が取り付けられ、このカウンター７１の浴槽２０側に浴槽給水栓７２が設けられているとともに、このカウンター７１の洗い場Ａ側に洗い場給水栓７３が設けられている。
【００２３】
浴槽２０は、図１で示されるように、中央に形成された凹状の湯溜め部２１の上端側外周部に、略水平なリム部２２が形成されたものであり、床パン１０の土手部１３に沿うように配置されている。そして、浴槽２０の壁パネル７０側のリム部２２上には、手すり７４が取り付けられている。
【００２４】
エプロン３０は、図１で示されるように、略垂直なエプロン本体部３１の上下端側に、浴槽２０側に屈曲された水平部３２が形成されたものであり、上端側の水平部３２が浴槽２０の洗い場Ａ側のリム部２２（以下、この部分を浴槽縁部２３という）の下方に配置され、下端側の水平部３２が床パン１０の土手部１３上方に配置されている。この場合、エプロン３０は、図２で示されるように、エプロン本体部３１の外側面が、浴槽縁部２３の外端側に形成された下方への垂下部２３ａの外側面ａ１と略面一となるように、浴槽２０側に取り付けられている。
【００２５】
取付具４０は、複数設けられているが、その一例が図２に示されている。この取付具４０は、浴槽２０側に配置されるＬ形金具４１、板バネ４２、およびビス４３と、エプロン３０側に配置されるＬ形支持板４４、ピン４５、およびビス４６とから構成されている。Ｌ形金具４１はビス４３を介して浴槽縁部２３の下面側に形成された突起部２３ｂに取り付けられており、このＬ形金具４１に板バネ４２が取り付けられることにより、これらの下部に、板バネ４２の弾性変形によってピン４５が容易に着脱されるピン保持部４７が形成されている。Ｌ形支持板４４はビス４６を介してエプロン本体部３１の内面側に形成された突起部３１ａに取り付けられている。したがって、このＬ形支持板４４の先端に取り付けられたピン４５を浴槽２０側のピン保持部４７に着脱することにより、エプロン３０は、浴槽２０に対して、図２で示される矢印方向に容易に着脱される。
【００２６】
さて、図１で示されるように、浴槽縁部２３の側方には、グリップ手段によって、浴槽２に対する入浴補助用の指掛け部Ｄを形成する指掛け構造が設けられている。このグリップ手段は、グリップ部と支持部とを有した側面視略Ｌ字状のものであり、この実施の形態では、グリップ部と支持部とが一体的に形成されたグリップ部材５０から構成されている。
【００２７】
このグリップ部材５０は、図２で示されるように、断面や側面が略Ｌ字形をしたプラスチック製のもので、半円柱状のグリップ部５０ａの下部側に、水平に延びる支持部５０ｂが形成されたものである。そして、このグリップ部材５０は、グリップ部５０ａの平面側が浴槽縁部２３の外側面ａ１に当たるまで、支持部５０ｂを浴槽縁部２３とエプロン３０の水平部３２間に差し込んだ状態で、この支持部５０ｂをボルト５１とナット５２とで、エプロン３０の水平部３２側に固定することにより、エプロン３０側に取り付けられている。
【００２８】
この場合、グリップ部材５０の上端は略浴槽縁部２３の上面ａ３まで達しており、浴槽縁部２３の洗い場側に突出するこのグリップ部材５０のグリップ部５０ａとエプロン本体部３１の外側面とで、段状の指掛け部Ｄが形成されている。また、グリップ部材５０のグリップ部５０ａの円弧面側表面は、軟質樹脂で形成された軟質部５０となっており、これにより、指掛け時の手の感触をよくしている。なお符号３２ａ，５０ｄは、それぞれエプロン３０およびグリップ部材５０に設けられたボルト５１用の挿通孔である。
【００２９】
つぎに、高齢者や歩行に障害がある障害者等が浴槽２０内に入る場合の、この指掛け構造の作用について説明する。
入浴者は手を浴槽縁部２３上に当てて体を支え、または、グリップ部材５０で形成された指掛け部Ｄに手の指を掛けつつ体を支えて、洗い場Ａ側から浴槽２０の湯溜め部２１内にまたぎ込み、浴槽２０の湯溜め部２１内に入る。つづいて、例えば左手で把手７４を握り、右手の掌を浴槽縁部２３とグリップ部材５０のグリップ部５０ａ上に当て、指先を指掛け部Ｄに掛けつつ、腰を湯溜め部２１内にしずめて、体を湯溜め部２１の湯中に浸ける。そして、入浴者は湯溜め部２１中で体が不安定な状態になれば、把手７４を握るとともに、指掛け部Ｄに手の指を掛けて体の安定を保つ。また、入浴者が浴槽２０から出る場合には、上記と逆の動作をする。
【００３０】
以上のように、この浴室では、浴槽２０の浴槽縁部２３の側方に、指掛け部Ｄを形成しているため、高齢者や身障者であっても、この指掛け部Ｄに指を掛けつつ浴槽２０に容易に入ることができるとともに、この浴槽２０から容易に出ることができる。この場合、指掛け部Ｄは、浴槽縁部２３上方に突出しないため、洗い場Ａ側から浴槽２０側へ、および浴槽２０側から洗い場Ａ側へのまたぎ込みも容易である。
【００３１】
また、この指掛け構造では、指掛け部Ｄを形成するグリップ部材５０が、グリップ部５０ａを浴槽縁部２３側に密着させた状態で、ボルト５１やナット５２により、エプロン３０側にしっかり固定されているため、指掛け部Ｄに力を加えても、グリップ部材５０が外れることはなく、入浴者は安心して、この指掛け部Ｄに指を掛けることができる。
【００３２】
さらに、この指掛け構造では、グリップ部材５０のグリップ部５０ａの外表面が軟質部５０ｃとなっているため、手の感触もよく、かつ、グリップ部材５０の固定具であるボルト５１やナット５２が浴室内に露出しないため、グリップ部材５０周りがサビによって汚れたり、入浴者の指が、感触の悪い（冷たくて凸凹のある）固定具に触れることもない。
【００３３】
また、この指掛け構造では、グリップ部材５０をエプロン３０側に取り付けた後、このエプロン３０を浴槽２０の側方に取り付けるだけで、浴槽縁部２３側に指掛け部Ｄを形成できるので、この指掛け部Ｄの形成も容易である。
【００３４】
図３はグリップ部材５０を浴槽２０側に取り付けたこの指掛け構造の変更実施形態を示している。この指掛け構造では、浴槽縁部２３の下面側凹状部に、垂下部２３ａの下面ａ２と面一になるように支持部材５３を取り付けるとともに、この支持部材５３に、グリップ部５０ａの平面部を浴槽縁部２３の側面ａ１側に密着させた状態で、グリップ部材５０の支持部５０ｂをビス５４で取り付け、このグリップ部材５０とエプロン本体部３１の外側面側とで指掛け部Ｄを形成している。この指掛け構造においても、エプロン３０の着脱に支障はなく、上記指掛け構造と同様な効果を得ることができる。この場合、取付具４０のＬ形金具４１は、ビス４３により支持部材５３側に取り付けられる。
【００３５】
なお、図３で示されるように、グリップ部材５０の支持部５０ｂとＬ形金具４１とが干渉するおそれがある場合、グリップ部材５０の一部を切り欠いておく。
【００３６】
図４はグリップ部材５０の浴槽２０への他の取り付け方法を示している。この指掛け構造では、浴槽縁部２３の下面側に、金属製のねじ部５５ａがインサートされた樹脂ナット５５を固着し、この樹脂ナット５５の周りに、圧縮変形可能な弾性部材５６を取り付けている。この場合、樹脂ナット５５の高さは、浴槽縁部２３の垂下部２３ａ側の突出高さより低くし、弾性部材５６の高さは、この垂下部２３ａ側の突出高さより高くしておく。このことにより、ボルト５１を樹脂ナット５５にねじ込むことにより、弾性部材５６が垂下部２３ａの下面ａ２の位置まで圧縮され、グリップ部材５０がしっかりと浴槽２０側に固定される。したがって、この指掛け構造でも、上述の指掛け構造と同様な効果を得ることができる。
【００３７】
図５はグリップ部材５０の浴槽２０への他の取り付け方法を示している。この指掛け構造では、グリップ部材の支持部５０ｂを比較的短く形成し、この支持部５０ｂの上面と、グリップ部５０ａの平面部とを、接着剤により、浴槽縁部２３の垂下部２３ａの外側面ａ１と下面ａ２とに接合することにより、このグリップ部材５０を浴槽２０側に取り付けている。この場合、グリップ部材５０を浴槽縁部２３側に充分に接合できるように、グリップ部材５０の接合面には、多数の接着溝５０ｅを形成しているとともに、上部側には接着剤溜り５０ｆを形成している。したがって、この指掛け構造においても、上述の指掛け構造と同様な効果を得ることができる。
【００３８】
なお、図２および図３で示される指掛け構造の場合、グリップ部材５０の支持部５０ｂを、ビス５４等により、浴槽縁部２３とエプロン３０の水平部３２とに固定し、グリップ部材５０を浴槽２とエプロン３０とに取り付けるようにしてもよい。
【００３９】
実施形態２．
図６はこの発明の他の実施の形態に係る指掛け構造を示す、浴槽の上部側の断面図である。なお、この実施形態およびこれ以降の実施形態においては、図１乃至図４で示されるものと同一のもの、または、これらに相当するものには、図中に同一符号を付し、その説明を省略する。
【００４０】
この指掛け構造では、グリップ手段が、断面（側面）がＬ字状をした金属製のブラケット５８と、このブラケット５８の一端側の立上がり部５８ａに、ネジ５９により固定されるグリップ部材５７とから構成されている。このグリップ部材５７は、半円柱状をしていて、グリップ手段のグリップ部としての機能を有するものであり、その平面部側に、ブラケット５８の立上がり部５８ａを取り付けるための溝部５７ａが形成されている。また、ブラケット５８は、もう一端側がグリップ手段の支持部としての機能を有する水平部５８ｂとなっており、この水平部５８ｂが浴槽上縁部２３とエプロン３０との間に差し込まれて、ボルト５１と板ナット６０（板部材にメネジ部を形成したもの）により、エプロン３０の水平部３２に固定されている。この場合、グリップ部材５７は、溝部５７ａ側が浴槽縁部２３の外側面ａ１に密着されており、このグリップ部材５７とエプロン本体部３１とで指掛け部Ｄが形成されている。
【００４１】
なお、図において、符号６１はブラケット５８の水平部５８ｂに固着された補強板である。この場合、この補強板６１とブラケット５８には、それぞれボルト５１の挿通孔が形成されている。また、グリップ部材５７は、円弧面側が軟質部５７ｂとなったプラスチック材から形成されている。
【００４２】
この指掛け構造においても、指掛け部Ｄを形成するグリップ部材５７が、溝部５７ａ側を浴槽縁部２３の外側面ａ１側に密着させた状態で、ブラケット５８、ボルト５１、板ナット６０により、エプロン３０側にしっかり固定されるため、指掛け部Ｄに力を加えても、グリップ部材５７が外れることはなく、入浴者は安心して、この指掛け部Ｄに指を掛けることができる。
【００４３】
また、この指掛け構造では、グリップ部材５７の外表面が軟質部５７ｂとなっているため、手の感触もよく、かつ、グリップ部材５７を固定するブラケット５８、ボルト５１、板ナット６０が浴室内に露出しないため、グリップ部材５７の周りがサビによって汚れたり、入浴者の手がこれらの固定具に触れることもない。
【００４４】
さらに、この指掛け構造では、グリップ部材５７をエプロン３０側に取り付けた後、このエプロン３０を浴槽２０の側方に取り付けるだけで、浴槽縁部２３側に指掛け部Ｄが形成できるので、この指掛け部Ｄの形成も容易である。
【００４５】
また、この指掛け構造では、グリップ手段が金属製のブラケット５８と樹脂製のグリップ部材５７とから構成されるので、グリップ手段の支持部の強度を大きくできるとともに、指掛け部に対する手の感触も良好なものにすることができる。
【００４６】
図７はグリップ部材５７を浴槽２０側に取り付けた、この指掛け構造の変更実施形態を示している。この指掛け構造では、グリップ部材５７の溝部５７ａ側を浴槽縁部２３の外側面ａ１に密着させた状態で、ブラケット５８の水平部５８ｂが、この浴槽縁部２３の下面側の支持部材５３にビス５４により取り付けられて、このグリップ部材５７とエプロン３０とで指掛け部Ｄを形成している。この指掛け構造においても、上記指掛け構造と同様な効果を得ることができる。
【００４７】
図８はブラケット５８の立上がり部５８ａ略全体がグリップ部材５７内に差し込まれて固定された、この指掛け構造の他の変更実施形態を示している。この指掛け構造では、図９で示されるように、グリップ部材５７の内部に、先端がカールされたブラケット５８の立上がり部５８ａと同形状の溝５７ｃを形成し、この立上がり部５８ａをグリップ部材５７の一端側から溝５７ｃに差し込んで圧入嵌合することにより、ブラケット５８をグリップ部材５７に固定している。このため、この指掛け構造では、溝部５７ａがない分、グリップ部材５７の平面部側が浴槽縁部２３の外側面ａ１側に充分に密着し、グリップ部材５７の浴槽２０側に対する振れがなくなる。この場合、ブラケット５８には厚手の鋼板を用いているため、水平部５８ｂ側に補強板６１は不要である。
【００４８】
なお、図１０で示されるように、ブラケット５８の立上がり部５８ａの先端をかぎ形に屈曲させてもよい。
【００４９】
図１１はグリップ部材５７を浴槽２０側に取り付けた、この指掛け構造の他の変更実施形態を示している。この指掛け構造においても、上記指掛け構造と同様な効果を得ることができる。
【００５０】
なお、図６、図７、図８及び図１１で示される指掛け構造の場合において、ブラケット５８の水平部５８ｂを、ビス５４等により、浴槽縁部２３とエプロン３０の水平部３２とに固定し、グリップ部材５０を浴槽２とエプロン３０とに取り付けるようにしてもよい。
【００５１】
実施形態３．
図１２はこの発明の他の実施の形態に係る指掛け構造を示す、浴槽の上部側の断面図である。
【００５２】
この指掛け構造では、エプロン本体部３１の上端に、浴槽２側に向かって窪んだ凹状の段部３１ｄが形成された、このエプロン３０の上端側水平部３２に、ボルト５１とナット５２を介して、やや厚手のプラスチック材から形成される指当て板６２を取り付け、この段部３１ｄと指当て板６２とで、浴槽縁部２３の下方に凹状の指掛け部Ｂを形成している。また、この指掛け構造では、指当て板６２の端部を浴槽縁部２３の外側面ａ１と略面一に配置して、この指当て板６２と浴槽縁部２３とで、指掛け時に掌を当てるグリップ部Ｇを形成している。なお、符号６２ａはボルト５１用の挿通孔である。
【００５３】
この指掛け構造でも、浴槽縁部２３の上面ａ３に手を押し当てた場合に、グリップ部Ｇを介して、指先を指掛け部Ｂの指当て板６２側に掛けることができ、指掛け部Ｄと同様に、浴槽２０に対する出入り時等に、この指掛け部Ｂを介して、体を支えることができる。
【００５４】
また、この指掛け構造でも、指掛け部Ｂを形成する指当て板６２が、ボルト５１、ナット５２によりエプロン３０側にしっかり固定されるため、指掛け部Ｂの指当て板６２側に力を加えても、この指当て板６２が外れることはなく、入浴者は安心して、この指掛け部Ｂに指を掛けることができる。さらに、この指掛け構造では、指当て板６２の固定具であるボルト５１やナット５２が浴槽２０内に露出しないため、指掛け部Ｂ周りにサビによる汚れが生じないとともに、入浴者の手の感触も悪くなることはない。また、この指掛け構造では、指当て板６２をエプロン３０側に取り付けた後、このエプロン３０を浴槽２０の側方に取り付けるだけで、浴槽縁部２３側に指掛け部Ｂが形成できるので、この指掛け部Ｂの形成も容易である。
【００５５】
なお、この指掛け構造において、浴槽縁部２３と指当て板６２との隙間ｔにペフ等の除去容易な詰め物をすることにより、指当て板６２が浴槽２０側にも固定され、指掛け時の音鳴り等を防止できる。
【００５６】
図１３は、指当て板６２を浴槽２０側に取り付けた、この指掛け構造の変更実施形態を示している。この指掛け構造においても、上記指掛け構造と同様な効果を得ることができる。
【００５７】
また、図１４および図１５は、指当て板６２の端部に上方への起立部６２ｂを設け、この指当て板６２と浴槽縁部２３とで形成されるグリップ部Ｇの上下方向の高さを高くして、指掛け部Ｂに指を掛けやすくした、この指掛け構造の他の変更実施形態を示している。この指掛け構造においても、上記指掛け構造と同様な効果を得ることができる。
【００５８】
実施形態４．
図１６はこの発明の他の実施の形態に係る指掛け構造を示す、浴槽の上部側の断面図である。
【００５９】
この指掛け構造では、エプロン３０の上端に水平部３２を形成せず、この上端側に、浴槽２側に向かって窪んだ（コ）の字形の凹状部３３を形成して、浴槽縁部２３の下方に指掛け部Ｂを形成するとともに、凹状部３３の上端３３ａ側の側面を、浴槽縁部２３の垂下部２３ａ側面ａ１と略面一に配置して、この凹状部３３の上端３３ａと浴槽縁部２３とでグリップ部Ｇを形成している。
【００６０】
この指掛け構造でも、実施形態１の指掛け構造と同様な効果を得ることができる。また、この指掛け構造では、別途特別な構成部品が不要なため、コストがかからず、かつ、指掛け構造の形成も容易である。
【００６１】
図１７はエプロン３０により指掛け部Ｄが形成される、この指掛け構造の変形実施形態を示している。この指掛け構造では、エプロン３０の上端に水平部３２を形成せず、この上端に洗い場側に突出する（コ）の字形の突状部３４を形成し、この突状部３４を浴槽縁部２３の側方がわに配置して、この突状部３４によって浴槽縁部２３側方にグリップ部Ｇを形成するとともに、この突状部３４とエプロン本体部３１とで段状の指掛け部Ｄを形成している。この指掛け構造においても、上記指掛け構造と同様な効果を得ることができる。
【００６２】
なお、この場合、突状部３４の下方に、これに隣接するように凹状部を形成し、この凹状部により指掛け部Ｄを大きくするようにしてもよい。
【００６３】
実施形態５．
図１８はこの発明の他の実施の形態に係る指掛け構造を示す、浴槽の上部側の断面図である。
【００６４】
この指掛け構造では、半円柱状をしたプラスチック製のグリップ部材６４の円弧面側に溝６４ａを形成し、この溝６４ａから、ねじ６５を浴槽縁部２３や支持部材５３側にねじ込むことにより、このグリップ部材６４を平面部側が浴槽縁部２３の外側面ａ１側に密着するように取り付け、このグリップ部材６４とエプロン３０とで段状の指掛け部Ｄを形成するとともに、溝６４ａ内に断面（コ）の字状のカバー部材６６を差し込み、ねじ６５の頭部６５ａが浴室内に露出しないようにしている。この場合、カバー部材６６は、外方への露出部６６ａがグリップ部材６４の円弧面とほぼ同一カーブを形成するように配置されるとともに、露出部６６ａの表面には、手の掛かりをよくする小凹凸が形成されている。
【００６５】
なお、符合２３ｃ，６４ｂは、それぞれ浴槽縁部２３およびグリップ部材６４に形成されたねじ６５用の挿通孔であり、符号６４ｃはグリップ部材６４の軟質部である。
【００６６】
この指掛け構造においても、実施形態１の指掛け構造と同様な効果を得ることができる。
【００６７】
実施形態６．
図１９はこの発明の他の実施の形態に掛かる指掛け構造を示す、浴槽の上部側の断面図であり、図２０はグリップ部の形成方法を示す図である。
【００６８】
この指掛け構造では、浴槽縁部２３の垂下部２３ａに複数のピン部材６７を突出させるように取り付けた後、この垂下部２３ａのピン部材６７周りの、少なくとも下面ａ２側と外側面ａ１側にかけて、樹脂成形によって半円柱状のグリップ部６８を形成し、このグリップ部６８とエプロン３０とで段状の指掛け部Ｄを形成している。このグリップ部６８は、図２０で示されるように、浴槽縁部２３の垂下部２３ａ側を上型Ｋ１と下型Ｋ２で囲んで形成されるキャビティーＣ内に、樹脂流入孔Ｃ１から樹脂を注入することにより形成される。この場合グリップ部６８はエプロン３０の着脱に不都合のないように形成しておく。
【００６９】
この指掛け構造では、グリップ部６８を樹脂成形によって浴槽縁部２３と一体になるように形成しているため、種々の形状のグリップ部６８を容易に形成できる。この場合、グリップ部６８の形成も容易であるため、このグリップ部６８が形成された浴槽２０の側方に、エプロン３０を取り付けるだけで形成される指掛け部Ｄの形成も容易である。また、この指掛け構造では、グリップ部６８は浴槽２０側にしっかり固定されるため、入浴者は安心して指掛け部Ｄに指を掛けることができるとともに、グリップ部６８の固定用に金具が不要な分、手の感触がよく、かつ、サビも生じない。
【００７０】
なお、実施形態１，２の指掛け構造において、グリップ部材をエプロン３０側に固定する場合には、エプロン３０の着脱に支障が生じないため、このグリップ部材をエプロン本体部３１の外側面がわまで突出させてもよい。
【００７１】
【発明の効果】
この発明は、以上のように構成されているので、以下に記載されるような効果を奏する。
【００７２】
この発明の請求項１記載の発明によれば、側面にエプロンが取り付けられる浴槽の、洗い場に面する縁部側に、この浴槽に対する入浴補助用の指掛け部を形成する浴槽用指掛け構造であって、洗い場側に突出して、浴槽の縁部側方に指掛け部を形成する半円柱状のグリップ部と、この浴槽の縁部の下面側及び／又はこの下面に対向するエプロンの上端側に固定される支持部とを有する、側面視略Ｌ字状のグリップ手段を備えているので、指掛け部を容易に形成できるとともに、グリップ手段の固定具を浴室内に露出させることがなく、かつ、指掛け部にも充分な力を加えることができる。
【００７３】
この発明の請求項２記載の発明によれば、請求項１記載の発明の場合において、グリップ手段を、グリップ部と支持部とが一体的に形成されたグリップ部材により構成しているので、グリップ手段の製作の容易化や低コスト化を図ることができる。
【００７４】
この発明の請求項３記載の発明によれば、請求項１記載の発明の場合において、グリップ手段を、側面視略Ｌ字状のブラケットと、このブラケットの立上がり部に固定されるグリップ部材とから構成し、このブラケットの水平部で支持部を形成するとともに、グリップ部材でグリップ部を形成しているので、グリップ手段の支持部の強度を大きくできるとともに、グリップ手段のグリップ部の感触も良好なものとすることができる。
【００７５】
この発明の請求項４記載の発明によれば、請求項３記載の発明の場合において、ブラケットの立上がり部の一部又は全部が、グリップ部材の内部に差し込まれているので、グリップ部を浴槽の縁部側に充分に密着できる。
【００７６】
この発明の請求項５記載の発明によれば、側面にエプロンが取り付けられる浴槽の、洗い場に面する縁部側に、この浴槽に対する入浴補助用の指掛け部を形成する浴槽用指掛け構造であって、エプロンの上端部に洗い場側に突出する突状部を形成をするとともに、この突状部を浴槽の縁部の洗い場がわ側方に配置して、この突状部で指掛け部を形成しているので、指掛け部を容易に形成できるとともに、指掛け部形成用の固定具を浴室内に露出させることがなく、かつ、指掛け部にも充分な力を加えることができる。
【００７７】
この発明の請求項６記載の発明によれば、側面にエプロンが取り付けられる浴槽の、洗い場に面する縁部側に、この浴槽に対する入浴補助用の指掛け部を形成する浴槽用指掛け構造であって、浴槽の縁部の、少なくとも、下面側から洗い場側にかけて、この縁部と一体的に形成される樹脂成形体に、指掛け部を形成する半円柱状のグリップ部を形成しているので、指掛け部を容易に形成できるとともに、指掛け部の形成に特別な固定具が必要なく、かつ、指掛け部にも充分な力を加えることができる。
【図面の簡単な説明】
【図１】この発明の実施形態１に係る指掛け構造を備えた浴室内の外観斜視図である。
【図２】図１で示された指掛け構造の詳細を示す浴槽の上部側の断面図である。
【図３】図１で示された指掛け構造の第１の変更実施形態を示す図である。
【図４】図１で示された指掛け構造の第２の変更実施形態を示す図である。
【図５】図１で示された指掛け構造の第３の変更実施形態を示す図である。
【図６】この発明の実施形態２に係る指掛け構造の詳細を示す、浴槽の上部側の断面図である。
【図７】図６で示される指掛け構造の第１の変更実施形態を示す図である。
【図８】図６で示される指掛け構造の第２の変更実施形態を示す図である。
【図９】図８で示されるブラケットとグリップ部材との分解斜視図である。
【図１０】図８で示されるブラケットの変更実施形態を示す図である。
【図１１】図６で示される指掛け構造の第３の変更実施形態を示す図である。
【図１２】この発明の実施形態３に係る指掛け構造の詳細を示す、浴槽の上部側の断面図である。
【図１３】図１２で示される指掛け構造の第１の変更実施形態を示す図である。
【図１４】図１２で示される指掛け構造の第２の変更実施形態を示す図である。
【図１５】図１２で示される指掛け構造の第３の変更実施形態を示す図である。
【図１６】この発明の実施形態４に係る指掛け構造の詳細を示す、浴槽の上部側の断面図である。
【図１７】図１６で示される指掛け構造の変更実施形態を示す図である。
【図１８】この発明の実施形態５に係る指掛け構造の詳細を示す、浴槽の上部側の断面図である。
【図１９】この発明の実施形態６に係る指掛け構造の詳細を示す、浴槽の上部側の断面図である。
【図２０】図１９で示される指掛け構造のグリップ部の形成方法を示す図である。
【図２１】従来の第１の指掛け構造を示す図である。
【図２２】従来の第２の指掛け構造を示す図である。
【図２３】従来の第３の指掛け構造を示す図である。
【符号の説明】
２０    浴槽
２３    浴槽縁部（縁部）
２３ａ  垂下部
３０    エプロン
３１ｂ  段部
３３    凹状部
３４    突状部
５０    グリップ部材（グリップ手段）
５０ａ  グリップ部
５０ｂ  支持部
５７    グリップ部材
５８    ブラケット
５８ａ  立ち上がり部
５８ｂ  水平部
６２    指当て板（指当て部材）
６３    グリップ部材
６４    グリップ部材
６４ａ  溝（凹部）
６６    カバー部材（カバー）
６８    グリップ部
Ａ    洗い場
Ｂ    指掛け部
Ｄ    指掛け部
Ｇ    グリップ部
【図１】
0003541555.tif 000002
【図２】
0003541555.tif 000003
【図３】
0003541555.tif 000004
【図４】
0003541555.tif 000005
【図５】
0003541555.tif 000006
【図６】
0003541555.tif 000007
【図７】
0003541555.tif 000008
【図８】
0003541555.tif 000009
【図９】
0003541555.tif 000010
【図１０】
0003541555.tif 000011
【図１１】
0003541555.tif 000012
【図１２】
0003541555.tif 000013
【図１３】
0003541555.tif 000014
【図１４】
0003541555.tif 000015
【図１５】
0003541555.tif 000016
【図１６】
0003541555.tif 000017
【図１７】
0003541555.tif 000018
【図１８】
0003541555.tif 000019
【図１９】
0003541555.tif 000020
【図２０】
0003541555.tif 000021
【図２１】
0003541555.tif 000022
【図２２】
0003541555.tif 000023
【図２３】
0003541555.tif 000024